(57)【要約】【課題】椅子の背後に配置設置する衣服掛けであって、一本の主軸に座部を昇降及び回転自在に設置した椅子、或いは、４本の脚に座部を固定した椅子のどちらにも取付可能とする。【解決手段】中央主部の左右対称に肩掛け部を有すると共に前記中央主部を上下に貫通する軸孔を有してなるハンガーと、直長部の上部にねじ部とこのねじ部の下部終端に設けたストッパーを有し且つ下部を直角に曲折する曲折部を有する支軸と、該支軸の曲折部先端に固着設置したコ字形取付金具と、前記支軸のねじ部をハンガーの中央主部の軸孔に貫通挿着して該ねじ部に螺合して支軸を中央部の下面に垂下設置するナットとからなる。【選択図】        図１
2004283399.tif 000002
【特許請求の範囲】
【請求項１】
中央主部の左右対称に肩掛け部を有すると共に前記中央主部を上下に貫通する軸孔を有してなるハンガーと、直長部の上部にねじ部とこのねじ部の下部終端に設けたストッパーを有し且つ下部を直角に曲折する曲折部を有する支軸と、該支軸の曲折部先端に固着設置したコ字形取付金具と、前記支軸のねじ部をハンガーの中央主部の軸孔に貫通挿着して該ねじ部に螺合して支軸を中央部の下面に垂下して固定設置するナットとから構成したことを特徴とする衣服掛け。
【発明の詳細な説明】
【０００１】
【発明が属する技術分野】
本発明は、衣服掛け、特に、椅子の背後に配置設置するもので、一本の主軸に座部を昇降及び回転自在に設置した椅子、或いは、４本の脚に座部を固定した椅子のどちらにも取付可能とした衣服掛けに関するものである。
【０００２】
【従来の技術】
日常生活において、例えば会社の事務室、工場の仕事場等で、着用中の衣服、即ち、背広等の上着は、意外と脱いだり着たりが頻々と行われるが、事務室、工場の仕事場の手短な場所に脱いだ上着を始末する適当な場所が少ないために、椅子の背もたれに掛けておくことが多く見受けられている。
特にパチンコ遊戯場では、上着を背もたれに掛けている光景が多く見受けられる。
【０００３】
【発明が解決しようとする課題】
椅子の背もたれは、衣服を掛けるための機能を元来備えているものではないから、背もたれに掛けられた衣服は、裾が床に触れて汚してしまったり、椅子に座っているときに身体が動いて背もたれから衣服が外れて、水撒きをした床に落として汚してしまったりすることが往々に起き、また、背もたれに凭れる身体により衣服に皺をつけたり、衣服の型崩れを生じさせたり等の多くの不都合がある。このような光景は、パチンコ遊戯に夢中になっている場合に、しばしば見受けられるものである。
【０００４】
本発明は、上記の課題に鑑みてなされたものであって、その目的とするところは、背もたれの背面から所定間隔離した位置で、椅子の脚に着脱自在に設置する衣服掛けを提供するものである。
【０００５】
【課題を解決するための手段】
上記目的を達成するために、本発明の衣服掛けは、中央主部の左右対称に肩掛け部を有すると共に前記中央主部を上下に貫通する軸孔を有してなるハンガーと、直長部の上部にねじ部とこのねじ部の下部終端に設けたストッパーを有し且つ下部を直角に曲折する曲折部を有する支軸と、該支軸の曲折部先端に固着設置したコ字形取付金具と、前記支軸のねじ部をハンガーの中央主部の軸孔に貫通挿着して該ねじ部に螺合して支軸を中央部の下面に垂下して固定設置するナットとからなる。
【０００６】
【発明の実施の形態】
以下図面を参照して本発明の実施の一形態を説明する。
図１は本発明の衣服掛けの分解斜視図であって、本発明に係る衣服掛け１は、中央主部２の左右対称に肩掛け部３を有してなるハンガー４を有し、このハンガー４の中央主部２に上下に貫通する軸孔５を穿ち、この軸孔５に支軸６の上部を挿着して支軸６を垂下させて固定設置し、前記支軸６は直長部７を有してこの直長部７の上部にねじ部８とこのねじ部８の下部終端にストッパー９を有すると共に該直長部７の下部を直角に曲折する曲折部１０を有して形成し、該支軸６の曲折部１０の先端に取付金具１１を固着設置して形成し、支軸６の曲折部１０の取付金具１１により椅子の脚に設置自在せしめて構成する。
【０００７】
前記支軸６は直長部７の上部を、ハンガー４の中央主部２の軸孔５に挿着してナット１２をねじ部８に螺合することにより固定維持せしめる。ナット１２は袋ナットまたは蝶ナットのような締め付け作業が容易なものが好ましい。
【０００８】
前記取付金具１１は、図２に拡大して示すように、コ字形枠になり、基板部１３ａを支軸６の曲折部１０の先端に一体に固着設置し、一方の翼板１３ｂに締め付け軸１４を貫通させて螺合設置すると共に締め付け軸１４の先端に円形の当て板１５を有して形成し、締め付け軸１４の当て板１５と他方の翼板１３ｃとで椅子の脚に狭着して固定維持するようにするのが好ましい。
【０００９】
図３は座部１６が１本の支持脚１７に昇降及び回転自在に設置されていて、背もたれ１８は軸枠１９を介して座部１６に設置されている一般的な事務用椅子Ａである。このような構造の椅子Ａに対して、本発明の衣服掛け１は、支軸６の曲折部１０の先端に有する取付金具１１の締め付け軸１４の当て板１５と他方の翼板１３ｃとの間に椅子Ａの支持脚１７を狭着して締め付軸１４により緊締固定する。
【００１０】
図４は座部２０の４隅に設けた４本の脚２１に設置され、背もたれ２２は軸枠２３を介して固着設置される。このような構造の椅子Ｂに対して、本発明の衣服掛け１は、後部の２本のどちらか一本の脚２１に、支軸６の曲折部１０の先端に有する取付金具１１の締め付け軸１４の当て板１５と他方の翼板１３ｃとの間に椅子Ｂの脚２１を狭着して締め付軸１４により緊締固定する。
【００１１】
前記椅子Ｂでは、支軸６の曲折部１０を斜にして、椅子Ｂの背面に所定間隔を置いて位置させ、そして支軸６の上部に螺着するナット１２を緩めてハンガ―４が椅子Ｂの背もたれ２２に略平行するように矯正してナット１２を再び螺着して固定するのが好ましい。
【００１２】
【発明の効果】
本発明の衣服掛けは、背もたれの背面から所定間隔離した位置で、椅子の脚に着脱自在に設置されており、しかも、座部が一本の支持脚に支持されている事務椅子Ａは勿論座部が４本の脚に支持されている椅子Ｂのどちらにも取付け可能であり、更に、ハンガー部は通常の衣服掛けと同じ機能を有しているので、裾が床に触れて汚してしまったり、椅子に座っている人が動いても背もたれから衣服が外れて床に落として汚してしまったりすることがなく、しかも、、背もたれに凭れる身体により衣服に皺をつけたり、衣服の型崩れを生じさせたりすることも無く、ましてや、仮に、パチンコ遊戯に夢中になっている場合にも、衣服掛けから上着が外れたり落としたりすることがない等の効果を奏する。
【図面の簡単な説明】
【図１】本発明に係る衣服掛けの分解斜視図である。
【図２】本発明の取付け金具の拡大斜視図である。
【図３】本発明に係る衣服掛けを、座部が１本の支持脚に設けられている椅子に設置して示す斜視図である。
【図４】本発明に係る衣服掛けを、座部が４本の脚に設けられている他の椅子に設置して示す斜視図である。
【符号の説明】
Ａ      椅子
Ｂ      椅子
１      衣服掛け
２      中央主部
３      肩掛け部
４      アンガー
５      軸孔
６      支軸
７      直長部
８      ねじ部
９      ストッパー
１０    曲折部
１１    取付金具
１２    ナット
１３ａ  基盤部
１３ｂ  翼板
１３ｃ  翼板
１４    締め付け軸
１５    当て板
【図１】
2004283399.tif 000003
【図２】
2004283399.tif 000004
【図３】
2004283399.tif 000005
【図４】
2004283399.tif 000006